(57)【要約】【課題】  本発明の課題は、焦点無調整方式の固定レンズを用いる撮像装置において、基板にリフローはんだ等で接着したモジュールユニットに対して、レンズユニットを自動機を介してワンタッチ実装可能に構成したことを特徴とする撮像装置を提供することである。【解決手段】  モジュールユニットに対するレンズユニットのワンタッチ実装時に、レンズ圧入部の先端部の円錐状外周面がホルダーの円錐凹状部の内周面に密着され、設置レンズの同軸度が規制されるように構成し、レンズのフランジ面がホルダーに直受け支持されて、撮像素子との平行度が規制されるように構成し、且つ、モジュールユニットに対するレンズユニットのワンタッチ実装時において、レンズ圧入部と一体的に形成されたバレルがホルダー上端部にスナップロックされ、バレルの固定が確保されるように構成する。【選択図】図２
2008104133.tif 000002
【特許請求の範囲】
【請求項１】
焦点無調整方式の固定レンズを用いる撮像装置において、撮像素子を搭載する基板上内側面が円錐凹状部を有するホルダーをリフローはんだ等で接着したモジュールユニットと、前記ホルダーの円錐凹状部と密着する円錐形状部を有するバレルのレンズ圧入部にレンズを圧入により装着してなるレンズユニットを自動機を介してワンタッチ実装可能に構成したことを特徴とする撮像装置。
【請求項２】
モジュールユニットに対するレンズユニットのワンタッチ実装時に、レンズ圧入部の先端部の円錐状外周面がホルダーの円錐凹状部の内周面に密着され、設置レンズの同軸度が規制されるように構成したことを特徴とする請求項１記載の撮像装置。
【請求項３】
モジュールユニットに対するレンズユニットのワンタッチ実装時に、レンズのフランジ面がホルダーに直受け支持されて、撮像素子との平行度が規制されるように構成したことを特徴とする請求項１記載の撮像装置。
【請求項４】
モジュールユニットに対するレンズユニットのワンタッチ実装時において、レンズ圧入部と一体的に形成されたバレルが、ホルダー上端部にスナップロックされ、バレルの固定が確保されるように構成したことを特徴とする請求項１記載の撮像装置。
【請求項５】
レンズ圧入部には一枚乃至複数枚のレンズを圧入可能に構成したことを特徴とする請求項１記載の撮像装置。
【発明の詳細な説明】
【技術分野】
【０００１】  本発明は、焦点無調整方式の固定レンズを用いる撮像装置において、基板にリフローはんだ等で接着したモジュールユニットに対して、レンズユニットを自動機を介してワンタッチ実装可能に構成したことを特徴とする撮像装置である。
【背景技術】
【０００２】  従来、携帯電話、デジタルカメラ、携帯型パソコン、車載用カメラ、監視カメラ、テレビ電話、内視鏡等に設置可能な固体撮像装置が開発されているが、小型化に支障をきたすようなフォーカス調整機構を必要とし、フォーカス調整後に接着剤等を使って固定する構造であった。【０００３】  このような従来技術の撮像装置は多数の小型部品を有し、その組付け工程や撮像素子とレンズとの光軸方向及び光軸直角方向の位置決め、撮像素子との位置調整において、多数の工程とコストがかかるものであった。【０００４】  そのため、焦点無調整方式の撮像レンズが開発されており、このような無調整光学系では組立時の調整機構が不要になるが、撮像素子とレンズとの光軸方向及び光軸直角方向の位置決め、撮像素子との位置調整等がワンタッチ実装できる精密な組立構造が要求されている。【０００５】
【特許文献１】  特開２００６−２２７２７０
【特許文献２】  特開２００３−１４９５４９
【発明の開示】
【発明が解決しようとする課題】
【０００６】  本発明は、焦点無調整方式の固定レンズを用いる撮像装置において、撮像素子を搭載する基板上内側面が円錐凹状部を有するホルダーをリフローはんだ等で接着したモジュールユニットと、前記ホルダーの円錐凹状部と密着する円錐形状部を有するバレルのレンズ圧入部にレンズを圧入により装着してなるレンズユニットを自動機を介してワンタッチ実装可能に構成した撮像装置を提供する。【０００７】  即ち、撮像素子とレンズとの光軸方向及び光軸直角方向の位置決め、撮像素子との位置調整等がワンタッチ実装できる精密な組立構造の撮像装置を提供している。
【課題を解決するための手段】
【０００８】  焦点無調整方式の固定レンズを用いる撮像装置において、撮像素子を搭載する基板上内側面が円錐凹状部を有するホルダーをリフローはんだ等で接着したモジュールユニットと、前記ホルダーの円錐凹状部と密着する円錐形状部を有するバレルのレンズ圧入部にレンズを圧入により装着してなるレンズユニットを自動機を介してワンタッチ実装可能に構成した撮像装置を提供する。
また、モジュールユニットに対するレンズユニットのワンタッチ実装時に、レンズ圧入部の先端部の円錐状外周面がホルダーの円錐凹状部の内周面に密着され、設置レンズの同軸度が規制されるように構成した撮像装置を提供する。
さらに、モジュールユニットに対するレンズユニットのワンタッチ実装時に、レンズのフランジ面がホルダーに直受け支持されて、撮像素子との平行度が規制されるように構成した撮像装置を提供する。
さらに、モジュールユニットに対するレンズユニットのワンタッチ実装時において、レンズ圧入部と一体的に形成されたバレルが、ホルダー上端部にスナップロックされ、バレルの固定が確保されるように構成した撮像装置を提供する。
【発明の効果】
【０００９】  以上説明したように本発明に係る撮像装置によれば、基板にリフローはんだ等で接着したモジュールユニットに対して、レンズユニットを自動機を介してワンタッチ実装可能に構成されているので、工程の短縮、部品数の削減、小型化が図れ、レンズと撮像素子との同軸度、平行度、スナップロックによるワンタッチで接着剤等を不要としたバレル固定等の効果がある。
【発明を実施するための最良の形態】
【００１０】  以下、本発明の撮像装置の一実施例について説明する。図面において、図１は本発明に係わる撮像装置のレンズユニットとモジュールユニットとの実装状態を示す斜視図、図２は本発明に係る撮像装置を適用した撮像装置一例を示す断面図である。【００１１】  図１は本発明に係る撮像装置のレンズユニットの実装状態を示す斜視図であるが、基板１にリフローはんだ等で接着されたモジュールユニット２に対して、レンズユニット３が矢印で示すように自動機（図示せず）を介してワンタッチ実装される構造になっている。【００１２】  前記撮像装置の構造を、更に図２に示す本発明を適用した撮像装置の一例の断面図に基づいて説明する。【００１３】  モジュールユニット２に対するレンズユニット３のワンタッチ実装時において、筒状のレンズ圧入部５の先端部は円錐形状部に精密加工されており、ホルダー７の内周には円錐凹状部が精密加工されている。【００１４】  筒状のレンズ圧入部５の先端部の円錐形状部５１の円錐状外周面がホルダーの円錐凹状部７１の内周面に密着され、設置レンズの同軸度が規制される。【００１５】  レンズ４のフランジ４１の下面が水平に精密加工されたホルダー７のレンズ受け部７２に直受け支持され、撮像素子８との平行度が規制される。【００１６】  また、モジュールユニット２に対するレンズユニット３のワンタッチ実装時において、レンズ圧入部５と一体的に形成されたバレル６が、ホルダー７の上端部にスナップロックされ、バレル６の固定が確保されるように構成されている。
【図面の簡単な説明】
【００１７】
【図１】  本発明に係る撮像装置のレンズユニットとモジュールユニットとの実装状態を示す斜視図である。
【図２】  本発明に係る撮像装置を適用した撮像装置の一例の断面図である。
【符号の説明】
【００１８】  １．基板
２．モジュールユニット
３．レンズユニット
４．レンズ
４１．フランジ
５．レンズ圧入部
５１．円錐形状部
６．バレル
７．ホルダー
７１．円錐凹状部
７２．レンズ受け部
８．撮像素子
【図１】
2008104133.tif 000003
【図２】
2008104133.tif 000004